(57)【特許請求の範囲】
【請求項１】
受信機の放送波の入力側に直接あるいは間接に接続され、受信された放送波から所定のチャンネルを選局し前記受信機に出力する選局装置であって、前記受信機に付随される遠隔操作装置から送出される遠隔操作信号を受信する受信手段と、前記受信した遠隔操作信号に応じた動作指示を格納する格納手段と、前記動作指示に従ったチャンネルを選局する選局手段と、前記選局されたチャンネルの信号を前記動作指示に従ったチャンネルの信号に変換する変換手段とを備え、前記受信機の遠隔操作信号に対応した受信信号の変換を行い、変換後の前記受信信号を前記受信機に出力することを特徴とする選局装置。
【請求項２】
請求項１に記載の選局装置において、前記変換手段は、前記遠隔操作信号に応じて前記受信機で選択される受信チャンネルに対応する周波数に変換する手段からなることを特徴とする選局装置。
【請求項３】
請求項１もしくは２に記載の選局装置において、前記選局手段は、前記遠隔操作信号の送出回数に応じて、予め設定された選局チャンネルを順次選局する手段を備えたことを特徴とする選局装置。
【請求項４】
請求項１乃至３の内の何れかに記載の選局装置において、前記格納手段は、前記受信した遠隔操作信号を記憶する第１の記憶手段と、前記受信した遠隔操作信号に応じた動作指示を記憶する第２の記憶手段と、前記第１の記憶手段に記憶される遠隔操作信号に応じて、前記第２の記憶手段に記憶される動作指示に基づいて、前記選局手段と前記変換手段とを制御する手段を備えたことを特徴とする選局装置。
【請求項５】
請求項１乃至３の内の何れかに記載の選局装置において、前記格納手段は、前記受信機に対応した複数の遠隔操作信号が予め記憶される手段を備え、前記選局手段及び変換手段で動作が指定されている遠隔操作信号に対して、前記動作に従った選局及び変換を行うことを特徴とする選局装置。
【請求項６】
請求項１乃至５の内の何れかに記載の選局装置において、前記選局動作及び／又は変換動作は、学習機能により学習されることを特徴とする選局装置。
【請求項７】
放送波から音声及び／又は画像を復調する受信機と、前記受信機に付随され遠隔操作で前記受信機の動作を制御する遠隔操作装置と、前記受信機の放送波の入力側に直接あるいは間接に接続され、受信された前記放送波から所定のチャンネルを選局し前記受信機に出力する選局装置とからなる放送受信システムであって、前記選局装置は、前記遠隔操作装置から送出される遠隔操作信号を受信する受信手段と、前記受信した遠隔操作信号に応じた動作指示を格納する格納手段と、前記動作指示に従ったチャンネルを選局する選局手段と、前記選局されたチャンネルの信号を前記動作指示に従ったチャンネルの信号に変換する変換手段とを備え、前記受信機の遠隔操作信号に対応した受信信号の変換を行い、変換後の前記受信信号を前記受信機に出力することを特徴とする放送受信システム。
【発明の詳細な説明】
【０００１】
【発明の属する技術分野】
本発明は、選局装置及び放送受信システムに関し、特に、テレビやビデオテープレコーダ（ビデオ）等の受信機に付属するリモコン送信装置のように、特定の装置専用に予め固定されたコントロール信号（遠隔操作信号）で、制御される選局装置に関するものである。
【０００２】
【従来の技術】
従来のテレビ受信機や家庭用ビデオには、それぞれの制御に最適な操作釦が配置された各装置専用のリモコン送信装置が付属されている。テレビに付属する専用のリモコン送信装置の場合には、対応するテレビの電源のＯＮ／ＯＦＦ制御やチャンネルの切り替え等の一般的な操作釦を備える構成となっていた。また、この専用のリモコン送信装置は、対応するテレビ受信機が有する調整機能や付加機能に対応した操作釦も備える構成となっている。特に、近年のテレビ受信機をはじめとする映像機器（受信機）では、調整機能や付加機能の使用にはその機器に付属される専用のリモコン送信装置の使用が必須となっている。
【０００３】
一方、近年のデジタル技術の急速な進展に伴い、ＣＳデジタル放送やＢＳデジタル放送が既に開始され、２００３年には地上デジタル放送が開始予定であり、アナログ放送からデジタル放送への移行が急速に進展している。特に、アナログ放送からデジタル放送へ移行することにより放送用電波の周波数の使用効率を高めることが可能となるので、限られた帯域の放送用電波で放送することが可能となるチャンネル数を飛躍的に増やすことができる。
【０００４】
前述のデジタル放送の受信には、デジタル放送専用の受信機が使用される他、従来のアナログ受信機と組み合わせて使用するいわゆるセットトップボックスが用いられることもある。
【０００５】
【発明が解決しようとする課題】
本発明者は、前記従来技術を検討した結果、以下の問題点を見いだした。
デジタル放送に対応した受信装置が予め組み込まれた映像機器による放送の受信では、前述のように、この映像機器に付属する専用のリモコン送信装置を操作することによって、全ての操作が行えるようになっている。
【０００６】
これに対して、デジタル放送に対応する外部受信装置によるデジタル放送の受信では、使用者は、まず映像機器に付属する専用のリモコン送信装置を操作して当該映像機器の入力を外部受信装置に切り替えた後に、次に外部受信装置に付属する専用のリモコン送信装置を操作して、当該外部受信装置の受信チャンネルを希望のチャンネルに変更する必要がある。すなわち、外部受信装置を用いた映像機器によるデジタル放送の受信では、少なくとも２つのリモコン送信装置が必要となるので、チャンネルの変更操作が繁雑になってしまうという問題がある。
【０００７】
この問題を解決する方法として、映像機器が有するチャンネルのプリセット機能を使用し、新たに受信可能なチャンネルが追加された場合には、予め受信チャンネルが設定されていないチャンネルに追加されたチャンネルを割り当てる、すなわちプリセットするという方法が考えられる。しかしながら、リモコン送信装置に配置されるチャンネル選択釦数には限りがあるので、追加されたチャンネルを全てリモコン送信装置のチャンネル釦に配置することができないという問題がある。
【０００８】
本発明の目的は、既存のリモコン送信装置で、多くのチャンネルの選択を可能とする技術を提供することにある。
本発明の他の目的は、既存の映像機器における受信プリセット作業を低減させることが可能な技術を提供することにある。
本発明の前記ならびにその他の目的と新規な特徴は、本明細書の記述及び添付図面によって明らかになるであろう。
【０００９】
【課題を解決するための手段】
本願において開示される発明のうち、代表的なものの概要を簡単に説明すれば、下記のとおりである。
（１）受信機の放送波の入力側に直接あるいは間接に接続され、受信された放送波から所定のチャンネルを選局し前記受信機に出力する選局装置であって、前記受信機に付随される遠隔操作装置から送出される遠隔操作信号を受信する受信手段と、前記受信した遠隔操作信号に応じた動作指示を格納する格納手段と、前記動作指示に従ったチャンネルを選局する選局手段と、前記選局されたチャンネルの信号を前記動作指示に従ったチャンネルの信号に変換する変換手段とを備え、前記受信機の遠隔操作信号に対応した受信信号の変換を行い、変換後の前記受信信号を前記受信機に出力する。
【００１０】
（２）放送波から音声及び／又は画像を復調する受信機と、前記受信機に付随され遠隔操作で前記受信機の動作を制御する遠隔操作装置と、前記受信機の放送波の入力側に直接あるいは間接に接続され、受信された前記放送波から所定のチャンネルを選局し前記受信機に出力する選局装置とからなる放送受信システムであって、前記選局装置は、前記遠隔操作装置から送出される遠隔操作信号を受信する受信手段と、前記受信した遠隔操作信号に応じた動作指示を格納する格納手段と、前記動作指示に従ったチャンネルを選局する選局手段と、前記選局されたチャンネルの信号を前記動作指示に従ったチャンネルの信号に変換する変換手段とを備え、前記受信機の遠隔操作信号に対応した受信信号の変換を行い、変換後の前記受信信号を前記受信機に出力する。
【００１１】
前述した（１），（２）の手段によれば、予め遠隔操作信号に応じた動作指示を格納手段に格納しておく。ここで、遠隔操作装置から遠隔操作信号が送出されると、受信手段がこの送出された遠隔操作信号を受信する。遠隔操作信号が受信されると、選局手段が遠隔操作信号に対応した動作指示に従ったチャンネルを選局すると共に、変換手段が選局されたチャンネルの信号を動作指示に従ったチャンネルの信号に変換し、この変換後の信号を出力する構成となっている。
【００１２】
従って、遠隔操作信号に応じて、受信機で選択される受信チャンネルに対応する周波数に変換するように変換手段を構成すると共に、遠隔操作信号の送出回数に応じて、予め設定された選局チャンネルを順次選局するように選局手段を構成するので、複数のチャンネルの呼び出し操作を遠隔操作装置の一つのボタン操作のみで行うことが可能となる。その結果、チャンネル操作釦の数が限られた既存の遠隔操作装置であっても、チャンネル操作釦の数よりも多くの受信チャンネルの選択が可能となる。
【００１３】
また、遠隔操作信号毎に、受信機で選択される受信チャンネルの周波数に変換するように変換手段を構成すると共に、予め設定された選局チャンネルを各遠隔操作信号毎に選局するように選局手段を構成するので、受信機のチャンネル設定を変更することなく、選局装置のみで放送周波数の変更に伴う受信周波数の変更を行うことが可能となる。すなわち、放送チャンネルが変更になった場合であっても、受信機のプリセットをやり直すことなく、同じポジション（すなわち、以前と同じチャンネル選択釦）の操作で、変更された放送チャンネルが選局可能となる。
【００１４】
【発明の実施の形態】
以下、本発明について、発明の実施の形態（実施例）とともに図面を参照して詳細に説明する。
なお、発明の実施の形態を説明するための全図において、同一機能を有するものは同一符号を付け、その繰り返しの説明は省略する。
【００１５】
（実施の形態１）
図１は本発明の実施の形態１の放送受信システムの概略構成を説明するための図である。ただし、実施の形態１の放送受信システムは、リモコン送信装置１０２に配置される複数のチャンネル選択釦の内の１つのチャンネル選択釦の操作により、特定の複数チャンネルを巡回して選局させる放送受信システムである。
【００１６】
図１において、１０１は受信機、１０２はリモコン送信装置、１０３は選局装置、１０４は入力端子、１０５は増幅器、１０６は信号分配器、１０７は選局部、１０８は周波数変換器、１０９は混合器、１１０は出力端子、１１１は制御部、１１２は入力部、１１３はリモコン受光部、１１４はリモコン信号コード記憶部、１１５は動作内容記憶部を示す。
【００１７】
図１に示すように、実施の形態１の放送受信システムは、放送波を受信して得られた給電信号から映像及び音声を復調する受信機１０１と、この受信機１０１に付属するリモコン送信装置１０２と、リモコン送信装置１０２から出力される制御信号（リモコン信号）に基づいて、特定のチャンネルの信号を受信チャンネルとは異なるチャンネルの信号に変換した後に受信機１０１に出力する選局装置１０３とから構成される。ただし、図１に示す放送受信システムは、最小の構成を示すものであり、他にビデオやＤＶＤ等の映像機器が接続されていてもよいことはいうまでもない。
【００１８】
選局装置１０３は、入力端子１０４には高周波のテレビ信号が供給される構成、すなわち放送波が図示しないアンテナで受信され、高周波信号（給電信号）として入力端子１０４に供給される構成となっている。この入力端子１０４から入力されたテレビ信号は増幅器１０５に入力され、装置内での信号の減衰が補償される構成となっている。この増幅器１０５から出力されたテレビ信号は、信号分配器１０６で、２分配される構成となっている。
【００１９】
信号分配器１０６で分配された一方のテレビ信号は、混合器１０９に入力される。一方、信号分配器１０６で分配された他方のテレビ信号は、選局部１０７に入力される構成となっている。選局部１０７では、入力されたテレビ信号から制御部１１１から指示されたチャンネルに対応するテレビ信号のみを選局し、周波数変換器１０８に出力する構成となっている。この周波数変換器１０８では、制御部１１１からの制御信号に基づいて、選局部１０７からのテレビ信号の周波数を変換して混合器１０９に出力する構成となっている。ただし、実施の形態１では、混合器１０９に入力される周波数変換されたテレビ信号は、分配された一方のテレビ信号と混合された後に出力される構成となっているので、周波数変換器１０８から出力される周波数は、いわゆる空きチャンネルに対応する周波数となる。
【００２０】
この混合器１０９では、周波数変換器１０８からのテレビ信号と、分配器１０６からのテレビ信号とを混合して得られたテレビ信号を、出力端子１１０から出力する構成となっている。
【００２１】
ここで、出力端子１１０から出力されるテレビ信号は、受信機１０１の図示しないテレビ信号入力に直接あるいは間接に入力される構成となっているので、受信機１０１では当該装置の入力端子１０４から入力されるチャンネルのテレビ信号に加えて、周波数変換器１０８で変換された周波数に対応するチャンネルのテレビ信号をも受信することが可能となる。
【００２２】
図２は実施の形態１の放送受信システムを構成する選局装置におけるリモコン信号と出力チャンネルとの関係を説明するための図である。以下、図１及び図２に基づいて、実施の形態１の放送受信システムの動作を説明する。ただし、以下の説明では、リモコン送信装置１０２のチャンネル操作釦の「５」に対応するリモコン信号をリモコン信号コード記憶部１１４に記憶させ、ＵＨＦ２０ｃｈ，２２ｃｈ，２４ｃｈの３つのチャンネルを順次受信する場合について説明する。また、受信機１０１の５チャンネルのポジション、すなわちリモコン送信装置１０２のチャンネル操作釦の「５」の操作によって出力されるリモコン信号で選択されるポジションには、ＵＨＦ１５ｃｈが受信されるようにセット（プリセット）されている。
【００２３】
このように、実施の形態１の放送受信システムを構成する選局装置１０３は、既存リモコン送信装置１０２の図示しないチャンネル選択釦１つの操作により、選局したチャンネルを常に一定のチャンネルで出力し、特定の複数チャンネルを巡回して選局させる構成となる。
【００２４】
実施の形態１の選局装置１０３を備えた放送受信システムを構成する場合には、受信機１０１に付属するリモコン送信装置１０２から出力される複数のリモコン信号の内で、使用するリモコン信号の信号コードを選局装置１０３に記憶させる。
【００２５】
このために、入力部１１２からの指示により制御部１１１を「リモコン信号コード記憶モード」に切り替えることにより、選局装置１０３を学習リモコンの機能に切り替え、リモコン受光部１１３で受信する信号コードをリモコン信号コード記憶部１１４に記憶させる。ただし、入力部１１２からのモード切り替え指示は、例えば入力部１１２を構成する操作釦を使用者が操作（押下）することにより出力される。また、入力部１１２は各モードに対応したモード選択釦を配置する構成であり、操作されたモード選択釦を制御部１１１が検知して直接に対応するモードへ移行させる構成となっている。あるいは、入力部１１２は一つもしくは二つ程度のモード切り替え釦が配置される構成であり、このモード切り替え釦の操作（押下回数等）を制御部１１１が検知して、順次モードを切り替える構成としてもよい。
【００２６】
次に、リモコン送信装置１０２に配置される図示しない任意の釦を操作（押下）して、リモコン信号コードをリモコン受光部１１３に送信する。このとき、操作する釦としては、チャンネル選択釦とすることによって、受信機１０１の動作へ与える影響を低減できる。また、ここで操作した釦に、以下に説明する動作を割り当てる。
【００２７】
リモコン受光部１１３で受信された信号コードは、制御部１１１によってリモコン信号コード記憶部１１４に書き込まれる。
この後に、このリモコン信号コード記憶部１１４に書き込まれた信号コードに対応する動作内容を記憶させる。このために、入力部１１２からの指示により、制御部１１１を「動作内容記憶モード」に切り替える。特に、実施の形態１では、リモコン送信装置１０２の所定の一つのチャンネル選択釦が操作（押下）された場合に、操作毎に予め設定（プリセット）された受信チャンネルを順次受信し、この受信したチャンネルを予め設定された別のチャンネルの信号として出力端子１１０から出力させるものである。
【００２８】
このために、実施の形態１では、入力部１１２からの指示によって、該当するリモコン信号コードを受信する毎にプリセットされた受信チャンネルを順次切り替えるためのコマンドと、周波数変換器１０８から出力することとなるアナログテレビ信号（アナログＲＦ信号）のチャンネルを一つ記憶させる。このときのリモコン信号、選局チャンネル、及び出力チャンネルのそれぞれの関係は、図２に示すようになる。すなわち、第１〜３の設定２０１〜２０３は、同一の信号コードａに対して、選局チャンネルはそれぞれＵＨＦ２０ｃｈ、ＵＨＦ２２ｃｈ、ＵＨＦ２４ｃｈの３チャンネルとなり、出力周波数（出力チャンネル）は全てＵＨＦ１５ｃｈとなる。
【００２９】
次に、図２に基づいて、リモコン送信装置１０２から出力されるリモコン信号により、ＵＨＦ２０ｃｈ，２２ｃｈ，２４ｃｈの３つのチャンネルが順次受信される場合の動作を詳細に説明する。
【００３０】
まず、入力部１１２からの信号によって、制御部１１１は「受信モード」に切り替わる。この動作によって、実施の形態１の選局装置１０３が、リモコン送信装置１０２からの信号コードに基づいた動作（動作内容記憶部１１５に設定された動作）を行うこととなる。
【００３１】
ここで、リモコン送信装置１０２のチャンネル操作釦の「５」が１回操作される、すなわちリモコン送信装置１０２からチャンネル釦の「５」に対応するリモコン信号が出力されると、リモコン送信装置１０２から出力されたリモコン信号が受信機１０１の図示しない受光部とリモコン受光部１１３とで受光される。受信機１０１では、このリモコン信号の受信（受光）により第５チャンネルが選択され、ＵＨＦ１５ｃｈの受信状態となる。
【００３２】
一方、選局装置１０３では、リモコン受光部１１３で受光されたリモコン信号が電気信号（リモコン信号コード）に変換され、制御部１１１に入力される。制御部１１１は、まず、入力されたリモコン信号コードとリモコン信号コード記憶部１１４に格納されるリモコン信号コードとを対比する。その結果、リモコン信号コード記憶部１１４に対応するリモコン信号コードが格納されていない場合には処理は終了となるが、対応するリモコン信号コードが格納されていた場合には、次に制御部１１１は動作内容記憶部１１５を検索して、入力されたリモコン信号コードに対応した動作内容を呼び出す（読み出す）。このとき、実施の形態の１の選局装置では、図２に示す第１〜３の設定２０１〜２０３に示すように、選局部１０７が選局するチャンネル（選局チャンネル）の内、ＵＨＦ２０ｃｈ，２２ｃｈ，２４ｃｈを選局指示毎に順次切り替える動作と、周波数変換器１０８に入力される受信信号の周波数をＵＨＦ１５ｃｈに対応する周波数に変換させる動作とが予め設定されている。従って、リモコン信号が入力される前に、選局部１０７がＵＨＦ２０ｃｈを受信していた場合には、制御部１１１は第２の設定２０２に従って、選局部１０７を制御して受信チャンネルをＵＨＦ２０ｃｈからＵＨＦ２２ｃｈへと切り替える。このとき、もう一つの動作として、制御部１１１は周波数変換器１０８を制御して、選局部１０７から入力されるＵＨＦ２２ｃｈの受信信号をＵＨＦ１５ｃｈに相当する周波数に変換し、混合器１０９に出力させる。その結果、入力端子１０４から入力されたテレビ信号と、周波数変換器１０８からのＵＨＦ１５ｃｈの周波数に変換されたＵＨＦ２２ｃｈ信号とが混合され、混合器１０９から出力端子１１０を介して受信機１０１に入力されることとなる。一方、受信機１０１のチャンネルは、チャンネル操作釦「５」により第５ポジションにプリセットされたチャンネル（ＵＨＦ１５ｃｈの受信）が選択されているので、周波数変換器１０８で周波数変換されたＵＨＦ２２ｃｈのテレビ信号が受信機１０１で受信され、このＵＨＦ２２ｃｈの映像及び音声が出力されることとなる。
【００３３】
この状態で、さらに、リモコン送信装置１０２のチャンネル操作釦の「５」が１回操作（押下）された場合には、受信機１０１はそれまでと同じ受信チャンネルであるＵＨＦ１５ｃｈを受信し続けることとなる。一方、実施の形態１の選局装置１０３では、前述する動作と同じように、制御部１１１がリモコン受光部１１３からのリモコン信号コードと、リモコン信号コード記憶部１１４に記憶されるリモコン信号コードとを対比し、このリモコン信号コードに対応する動作（第３の設定２０３）を動作内容記憶１１５から読み出して、選局部１０９の受信チャンネルをＵＨＦ２２ｃｈから次の設定チャンネルであるＵＨＦ２４ｃｈに１つ切り替える。このとき、周波数変換器１０８は制御部１１１により、ＵＨＦ２４ｃｈの周波数をＵＨＦ１５ｃｈに対応する周波数に変換させる周波数変換動作に切り替えられる。従って、周波数変換器１０８からはＵＨＦ１５ｃｈの周波数に変換されたＵＨＦ２４ｃｈのテレビ信号が出力され、混合器１０９及び出力端子１１０を介して受信機１０１に入力される。ここで、前述するように、受信機１０１の受信周波数はＵＨＦ１５ｃｈに対応する周波数となっているので、受信機１０１からはこのＵＨＦ２４ｃｈの映像及び音声が出力されることとなる。
【００３４】
次に、例えばリモコン送信装置１０２のチャンネル操作釦の「１」が操作された場合には、受信機１０１では、受信機１０１の１チャンネルのポジションに設定され、例えばＶＨＦ１ｃｈが受信される。このとき、選局装置１０３のリモコン受光部１１３にもリモコン信号が入力され電気信号に変換されて制御部１１１に入力される。ここで、制御部１１１は、入力されたリモコン信号コードと、リモコン信号コード記憶部１１４に格納されるリモコン信号コードとを対比することとなるが、この場合には対応するリモコン信号コードが格納されていないので、制御部１１１はそれまでの状態（選局部１０７で選局されたＵＨＦ２２ｃｈのテレビ信号を周波数変換器１０８でＵＨＦ１５ｃｈに対応する周波数に変換し、混合器１０９に出力する）を維持する。この結果、受信機１０１は入力端子１０４から増幅器１０５、信号分配器１０６、混合器１０９を介して出力端子１１０に出力されるテレビ信号を受信することとなり、受信機１０１からはＶＨＦ１ｃｈの映像及び音声が出力されることとなる。
【００３５】
以上説明したように、実施の形態１の放送受信システムでは、選局装置１０３は入力端子１０４を介して取り込まれたテレビ信号から所定のチャンネルのテレビ信号のみを選局する選局部１０７と、この選局部１０７で選局されたチャンネルのテレビ信号を他のチャンネルに対応する周波数のテレビ信号に変換する周波数変換器１０８とを有する構成になっている。また、実施の形態１の選局装置は、学習機能時に入力されたリモコン信号コードを記憶するリモコン信号コード記憶部１１４と、この記憶したリモコン信号コードに対応した動作として、選局部１０７の選局チャンネルの変更及び周波数変換器１０８による変換周波数の変更等の動作情報を格納する動作内容記憶部１１５とを有する構成となっている。従って、リモコン送信装置１０２の空きチャンネルに対応する操作釦の操作で出力されるリモコン信号コードをリモコン信号コード記憶部１１４に記憶させると共に、このリモコン信号を受信した場合の動作として、選局部１０７で選局されるチャンネルの選択と、この選局部１０７から出力されるテレビ信号を受信機のチャンネルの周波数に変換する指示とを動作内容記憶部１１５に記憶させておき、当該選局装置１０３に入力されたリモコン信号コードが、リモコン信号コード記憶部１１４に記憶されるリモコン信号コードと一致した場合にのみ、動作内容記憶部１１５に記憶される動作に従って、選局部１０７により選局されたチャンネルのテレビ信号のみが周波数変換器１０８に出力され、この周波数変換器１０８でこの操作釦の操作により受信機１０１で呼び出されるチャンネルの周波数に変換し出力する構成となっているので、複数のチャンネルの呼び出し操作を一つのボタン操作のみで行うことが可能となる。
【００３６】
すなわち、チャンネル操作釦の数が限られた既存のリモコン送信装置１０２であっても、チャンネル操作釦の数よりも多くの受信チャンネルの選択が可能となる。
【００３７】
（実施の形態２）
図３は本発明の実施の形態２の放送受信システムを構成する選局装置におけるリモコン信号と出力チャンネルとの関係を説明するための図である。ただし、実施の形態２の選局装置は、基本的に実施の形態１と同じ構成であり、リモコン信号コード記憶部１１４及び動作内容記憶部１１５に記憶される内容が異なるのみとなる。従って、以下の説明では、記憶内容の違いによる構成及び動作についてのみ説明する。
【００３８】
図３に示すように、実施の形態２の放送受信システムを構成する選局装置１０３は、リモコン受光部１１３から入力される各リモコン信号コードに対応する選局チャンネルと、出力周波数とがそれぞれ異なる構成となる。
【００３９】
すなわち、実施の形態２の放送受信システムは、放送局側等の都合により、放送チャンネル（放送周波数）に変更がなされた場合に、受信機１０１に付属する既存のリモコン送信装置１０２を使用することを可能ならしめると共に、受信機１０１の受信チャンネルのプリセット設定を変更することなく、放送チャンネルが変更された番組の受信を可能とするものである。
【００４０】
この機能を実現するために、実施の形態２の選局装置では、リモコン信号コード記憶部１１４に切り替え対象となるチャンネルを選択するためのリモコン信号をそれぞれ記憶すると共に、各リモコン信号を受信した場合の動作として、動作内容記憶部１１５に切り替え後のチャンネルを選局するための情報と、この選局されたチャンネルの周波数を切り替え前のチャンネルの周波数の変換する情報とを記憶しておき、この記憶した情報に基づいて、選局及び周波数変換を行ったテレビ信号を出力するものである。
【００４１】
次に、図１及び図３に基づいて、実施の形態２の放送受信システムの動作を説明する。ただし、以下の説明では、ＵＨＦ４０ｃｈ、ＵＨＦ４２ｃｈ、ＵＨＦ４４ｃｈで放送されていたチャンネルが、それぞれＵＨＦ１３ｃｈ、ＵＨＦ１４ｃｈ、ＵＨＦ１５ｃｈに切り替えられた場合について説明する。また、ＵＨＦ４０ｃｈはリモコン送信装置１０２のチャンネル選択釦の７に、ＵＨＦ４２ｃｈはチャンネル選択釦の９に、ＵＨＦ４４ｃｈはチャンネル選択釦の１１にそれぞれ設定されていた場合について説明するものである。しかしながら、放送チャンネルの変更数及び設定チャンネルは、これに限定されるものではなく、１以上の放送チャンネルが変更なされた場合に対応できるのもである。
【００４２】
まず、受信機１０１に付属するリモコン送信装置１０２の信号コードを、実施の形態２の選局装置１０３を構成するリモコン信号コード記憶部１１４に記憶させる。この動作は、入力部１１２を操作して、制御部１１１を「リモコン信号記憶モード」に切り替え、学習リモコンの機能に切り替えることによってなされる。ただし、前述した実施の形態１の選局装置と同様に、入力部１１２に各モードに対応したモード選択釦を配置する構成とし、操作されたモード選択釦を制御部１１１が検知して直接に対応するモードへ移行させる。あるいは一つもしくは二つ程度のモード切り替え釦を配置し、このモード切り替え釦の操作（押下回数等）を制御部１１１が検知して、順次モードを切り替えるようにしてもよいことはいうまでもない。
【００４３】
次に、チャンネル切り替えの対象となるチャンネルに対応したチャンネル選択釦として、例えば７と表記されるチャンネル選択釦（以下、「第７のチャンネル選択釦」と記す）を操作することにより、リモコン送信装置１０２からリモコン信号（例えば、赤外線のリモコン信号）を送出させる。この送出されたリモコン信号は、リモコン受光部１１３で受光された後に、電気信号に変換され、制御部１１１に入力される。ここで、制御部１１１は、「リモコン記憶モード」の動作として、入力されたリモコン信号をリモコン信号コード記憶部１１４に記憶する。
【００４４】
この後に、入力部１１２を操作して、「動作内容記憶モード」に切り替える。ここで、第７のチャンネル選択信号に対応した設定として、図３に示す第１の設定３０１のように、選局部１０７の選局チャンネルをＵＨＦ１３ｃｈとする設定と、周波数変換器１０８による変換周波数をＵＨＦ４０ｃｈとする設定とを、動作内容記憶部１１５に記憶する。
【００４５】
同様にして、第９のチャンネル選択信号に対応した設置として、図３に示す第２の設定３０２のように、選局部１０７の選局チャンネルをＵＨＦ１４ｃｈとする設定と、周波数変換器１０８による変換周波数をＵＨＦ４２ｃｈとする設定とを、動作内容記憶部１１５に記憶する。さらには、図３に示す第３の設定のように、第１１のチャンネル選択信号に対応した設定として、選局部１０７の選局チャンネルをＵＨＦ１５ｃｈとする設定と、周波数変換器１０８による変換周波数をＵＨＦ４４ｃｈとする設定とを、動作内容記憶部１１５に記憶する。
以上に説明したリモコン信号コードの記憶と動作の設定とによって、選局装置１０３の設定が終了となる。
【００４６】
次に、入力部１１２を操作して、制御部１１１を「受信モード」に切り替える。この操作によって、実施の形態２の選局装置１０３が、リモコン送信装置１０２からの信号コードに基づいた動作（動作内容記憶部１１５に設定された動作）を行うこととなる。
【００４７】
ここで、リモコン送信装置１０２のチャンネル操作釦の「７」が少なくとも１回操作されると、リモコン送信装置１０２から出力されたリモコン信号が受信機１０１の図示しない受光部とリモコン受光部１１３とで受光される。受信機１０１では、このリモコン信号の受信（受光）により第７チャンネルが選択され、ＵＨＦ４０ｃｈの受信状態となる。
【００４８】
一方、選局装置１０３では、リモコン受光部１１３で受光されたリモコン信号は電気信号（リモコン信号コード）に変換され、制御部１１１に入力される。制御部１１１は、まず、入力されたリモコン信号コードとリモコン信号コード記憶部１１４に格納されるリモコン信号コードとを対比する。ここで、リモコン信号コード記憶部１１４に対応するリモコン信号コードが格納されていない場合には処理は終了となるが、対応するリモコン信号コードが格納されていた場合には、次に制御部１１１は動作内容記憶部１１５を検索して、入力されたリモコン信号コードに対応した動作内容を呼び出す（読み出す）。
【００４９】
このとき、実施の形態の２の選局装置１０３では、前述するように、選局部１０７が選局するチャンネル（選局チャンネル）の内、ＵＨＦ１３ｃｈを選局する設定と、周波数変換器１０８に入力される受信信号の周波数をＵＨＦ４０ｃｈに対応する周波数に変換させる設定とからなる第１の設定３０１が予め設定されている。
【００５０】
従って、リモコン信号が入力される前に、例えば選局部１０７がＵＨＦ２０ｃｈを受信していた場合には、制御部１１１は選局部１０７を制御して受信チャンネルをＵＨＦ２０ｃｈからＵＨＦ１３ｃｈへと切り替える。このとき、もう一つの動作として、制御部１１１は周波数変換器１０８を制御して、選局部１０７から入力されるＵＨＦ１３ｃｈの受信信号をＵＨＦ４０ｃｈに相当する周波数に変換し、混合器１０９に出力させる。その結果、入力端子１０４から入力されたテレビ信号と、周波数変調器１０８からのＵＨＦ４０ｃｈの周波数に変換されたＵＨＦ１３ｃｈ信号とが混合され、混合器１０９から出力端子１１０を介して受信機１０１に入力されることとなる。
【００５１】
ここで、受信機１０１のチャンネルは、チャンネル操作釦「７」により第７チャンネル（ＵＨＦ４０ｃｈの受信）が選択されているので、周波数変換器１０８で周波数変換されたＵＨＦ１３ｃｈのテレビ信号が受信機１０１で受信され、このＵＨＦ１３ｃｈの映像及び音声が出力されることとなる。
【００５２】
同様にして、リモコン送信装置１０２のチャンネル操作釦の「９」が少なくとも１回操作された場合には、受信機１０１では第９チャンネルが選択され、ＵＨＦ４２ｃｈの受信状態となる。また、選局装置１０３では、制御部１１１が選局部１０７を制御して受信チャンネルをＵＨＦ１４ｃｈへと切り替えると共に、周波数変換器１０８を制御して、選局部１０７から入力されるＵＨＦ１４ｃｈの受信信号をＵＨＦ４２ｃｈに相当する周波数に変換し、混合器１０９に出力させる。その結果、周波数変換されたＵＨＦ１４ｃｈのテレビ信号が受信機１０１で受信され、このＵＨＦ１４ｃｈの映像及び音声が出力されることとなる。
【００５３】
また、リモコン送信装置１０２のチャンネル操作釦の「１１」が少なくとも１回操作された場合には、受信機１０１では第１１チャンネルが選択され、ＵＨＦ４４ｃｈの受信状態となる。また、選局装置１０３では、制御部１１１が選局部１０７を制御して受信チャンネルをＵＨＦ１５ｃｈへと切り替えると共に、周波数変換器１０８を制御して、選局部１０７から入力されるＵＨＦ１４ｃｈの受信信号をＵＨＦ４４ｃｈに相当する周波数に変換し、混合器１０９に出力させる。その結果、周波数変換されたＵＨＦ１５ｃｈのテレビ信号が受信機１０１で受信され、このＵＨＦ１５ｃｈの映像及び音声が出力されることとなる。
【００５４】
このように、実施の形態２の放送受信システムでは、リモコン送信装置１０２から送信されるリモコン信号毎に、選局部１０７で選局されるチャンネルを異なるチャンネルに設定すると共に、周波数変換器１０８で変換し出力する周波数も異なる周波数に設定することによって、受信機１０１のチャンネル設定を変更することなく、選局装置１０３のみで放送周波数の変更に伴う受信周波数の変更を行うことが可能となる。
【００５５】
すなわち、放送チャンネルが変更になった場合であっても、受信機１０１のプリセットをやり直すことなく、同じポジションすなわちチャンネル選択釦の操作で、変更された放送チャンネルが選局可能となる。
【００５６】
なお、実施の形態１，２の放送受信システムでは、アナログ放送を選局する場合について説明したが、これに限定されることはなく、例えば、選局部１０７を衛星デジタル波や地上デジタル波を選局可能な構成とすると共に、周波数変換部１０８に選局部１０７で選局されたデジタル放送をアナログＲＦ信号に変換する変調器を備えることによって、リモコン送信装置１０２を使用したデジタル放送波の受信も可能なことはいうまでもない。
【００５７】
また、実施の形態１，２の放送受信システムでは、映像信号と音声信号とを受信する場合について説明したが、音声信号のみあるいは映像信号のみを受信する場合についても、同様の構成で適用可能なことはいうまでもない。
【００５８】
以上、本発明者によってなされた発明を、前記発明の実施の形態に基づき具体的に説明したが、本発明は、前記発明の実施の形態に限定されるものではなく、その要旨を逸脱しない範囲において種々変更可能であることは勿論である。
【００５９】
【発明の効果】
本願において開示される発明のうち代表的なものによって得られる効果を簡単に説明すれば、下記の通りである。
（１）、リモコン信号に応じて、受信機で選択される受信チャンネルに対応する周波数に変換すると共に、リモコン信号の送出回数の応じて、予め設定された選局チャンネルを順次選局する構成となるので、複数のチャンネルの呼び出し操作を既存のリモコン送信装置の一つのボタン操作のみで行うことができる。
（２）、複数のチャンネルの呼び出し操作を一つのボタン操作のみで行うことが可能となるので、チャンネル操作釦の数が限られた既存のリモコン送信装置であっても、チャンネル操作釦の数よりも多くの受信チャンネルの選択ができる。
（３）、リモコン信号毎に、受信機で選択される受信チャンネルの周波数に変換すると共に、予め設定された選局チャンネルを各リモコン信号毎に選局する構成となるので、受信機のチャンネル設定を変更することなく、選局装置のみで放送周波数の変更に伴う受信周波数の変更を行うことができる。
（４）、受信機のチャンネル設定を変更することなく、選局装置のみで放送周波数の変更に伴う受信周波数の変更を行うことができるので、受信機のプリセットをやり直すことなく、同じポジションすなわちチャンネル選択釦の操作で、変更された放送チャンネルの選局ができる。
【図面の簡単な説明】
【図１】本発明の実施の形態１の放送受信システムの概略構成を説明するための図である。
【図２】実施の形態１の放送受信システムを構成する選局装置におけるリモコン信号と出力チャンネルとの関係を説明するための図である。
【図３】本発明の実施の形態２の放送受信システムを構成する選局装置におけるリモコン信号と出力チャンネルとの関係を説明するための図である。
【符号の説明】
１０１…受信機                      １０２…リモコン送信装置
１０３…選局装置                    １０４…入力端子
１０５…増幅器                      １０６…信号分配器
１０７…選局部                      １０８…周波数変換器
１０９…混合器                      １１０…出力端子
１１１…制御部                      １１２…入力部
１１３…リモコン受光部              １１４…リモコン信号コード記憶部
１１５…動作内容記憶部
２０１，３０１…第１の設定          ２０２，３０２…第２の設定
２０３，３０３…第３の設定
【図１】
0003904959.tif 000002
【図２】
0003904959.tif 000003
【図３】
0003904959.tif 000004